(57)【要約】【課題】  構築済みの躯体とその躯体に支持されている下層側の外壁パネルに上層側の外壁パネルを仮支持させながら、上層側の外壁パネルが一体化する鉄筋コンクリート造の躯体を構築する施工方法において、上層側の外壁パネルをサポート上に設置したときの安定性を確保し、クレーンの占有時間を減らすと共に、外壁パネルの製作コストを低減する。【解決手段】  鉄筋コンクリート造の躯体に支持されるための定着材３が屋内側に突出した上層側の外壁パネル２を、下層側の外壁パネル１の上方にサポート４を介して設置すると共に、サポート４と構築済みの躯体との間、及び上層側の外壁パネル２と構築済みの躯体との間に控え材５を架設し、サポート４と控え材５に上層側の外壁パネル２を仮支持させ、上層側の外壁パネル２が一体化する躯体の中に定着材３が挿入される状態で、その躯体を構築し、その躯体に上層側の外壁パネル２を支持させる。【選択図】      図１
2006112131.tif 000002
【特許請求の範囲】
【請求項１】
構築済みの躯体とその躯体に支持されている下層側の外壁パネルにプレキャストコンクリート製の上層側の外壁パネルを仮支持させながら、前記上層側の外壁パネルが一体化する鉄筋コンクリート造の躯体を構築する外壁パネルの施工方法であって、
前記鉄筋コンクリート造の躯体に支持されるための定着材が屋内側に突出した前記上層側の外壁パネルを、前記下層側の外壁パネルの上方にサポートを介して設置すると共に、このサポートと前記構築済みの躯体との間、及び前記上層側の外壁パネルと前記構築済みの躯体との間に控え材を架設し、このサポートと控え材に前記上層側の外壁パネルを仮支持させる工程と、
前記上層側の外壁パネルが一体化する鉄筋コンクリート造の躯体の中に前記上層側の外壁パネルの定着材が挿入される状態で、その鉄筋コンクリート造の躯体を構築し、その躯体に前記上層側の外壁パネルを支持させる工程と、を有することを特徴とする外壁パネルの施工方法。
【請求項２】
構築済みの躯体とその躯体に支持されている下層側の外壁パネルにプレキャストコンクリート製の上層側の外壁パネルを仮支持させながら、前記上層側の外壁パネルが一体化する鉄筋コンクリート造の躯体を構築する外壁パネルの施工方法であって、
前記鉄筋コンクリート造の躯体に支持されるための定着材が屋内側に突出した前記上層側の外壁パネルを、前記下層側の外壁パネルの上方にサポートを介して設置すると共に、前記下層側の外壁パネルと前記上層側の外壁パネルとの間に、その両外壁パネルを連結する仮設部材を前記両外壁パネルの屋内側の面に沿って架設し、前記サポートと構築済みの躯体との間、及び前記仮設部材と構築済みの躯体との間に控え材を架設し、このサポートと仮設部材及び控え材に前記上層側の外壁パネルを仮支持させる工程と、
前記上層側の外壁パネルが一体化する鉄筋コンクリート造の躯体の中に前記上層側の外壁パネルの定着材が挿入される状態で、その鉄筋コンクリート造の躯体を構築し、その躯体に前記上層側の外壁パネルを支持させる工程と、を有することを特徴とする外壁パネルの施工方法。
【請求項３】
前記上層側の外壁パネルは腰壁と垂壁に相当する壁部と、壁部から屋内側へ張り出す張出部を持ち、この上層側の外壁パネルを前記壁部と張出部において前記サポートに仮支持させることを特徴とする請求項１、もしくは請求項２記載の外壁パネルの施工方法。
【請求項４】
現場打ちコンクリートによって鉄筋コンクリート造の躯体と一体化するプレキャストコンクリート製の外壁パネルの取付構造であって、
前記外壁パネルの屋内側の面から少なくとも上下２段に定着材が突出し、この定着材はスラブの主筋と平行に、またはほぼ平行に配置され、前記スラブのコンクリート中に定着されることを特徴とする外壁パネルの取付構造。
【請求項５】
前記定着材の内、少なくとも最下段の定着材が内蔵されたプレキャストコンクリート製の床板が前記外壁パネルの屋内側に一体化していることを特徴とする請求項４記載の外壁パネルの取付構造。
【請求項６】
前記床板の先端は前記鉄筋コンクリート造の躯体を構成する梁上に位置することを特徴とする請求項５記載の外壁パネルの取付構造。
【発明の詳細な説明】
【技術分野】
【０００１】
本発明は構築済みの躯体とその躯体に支持されている下層側の外壁パネルに上層側の外壁パネルを仮支持させながら、鉄筋コンクリート造の躯体を構築する外壁パネルの施工方法、及びその方法に適する外壁パネルの取付構造に関するものである。
【背景技術】
【０００２】
鉄筋コンクリート造躯体の建物の外壁をカーテンウォールのように予めプレキャスト化された外壁パネルから構成する場合、外壁パネルは腰壁から垂壁までに亘る部分を有するスパンドレル部とガラスやサッシ等が収納される窓部とに区分され、スパンドレル部と窓部が分離している場合、躯体に対してはスパンドレル部が外壁パネルとして窓部に先行して設置される。
【０００３】
外壁パネルは一般的にはタワークレーンや地上のクレーンから懸垂した状態で建物の外周部に吊り込まれ、躯体への接合が完了するまではクレーンに支持された状態に保たれるが、１枚の外壁パネルが特定のクレーンを占有する時間が長いため、クレーンの稼働率が低下し、工期に影響する可能性がある。
【０００４】
そこで、躯体に先行して支持されている下層側の外壁パネル上にサポートを、構築済みの躯体とサポートとの間に控えサポートをそれぞれ設置し、両サポートに新たな上層側の外壁パネルを支持させることにより、クレーンの使用を吊り込み時に限定し、クレーンの占有時間を減らす方法がある（特許文献１参照）。
【０００５】
躯体に先行して支持されている下層側の外壁パネル上に、この下層側の外壁パネルと上層側の外壁パネルを同時に保持し得る取付治具を設置し、下層側の外壁パネルを保持した取付治具上に上層側の外壁パネルを設置すると共に、上下の外壁パネル間にサポートを、取付治具と構築済みの躯体とに間に斜めサポートをそれぞれ設置し、取付治具と両サポートに上層側の外壁パネルを支持させる方法もある（特許文献２参照）。
【０００６】
【特許文献１】特開２００４−１２４５４７号公報（段落００２８、図１、図３〜図６）
【特許文献２】特公平７−１１６８４３号公報（請求項２、第１図）
【発明の開示】
【発明が解決しようとする課題】
【０００７】
しかしながら、特許文献１の方法では先行して躯体に支持されている下層側の外壁パネルと新たに設置される上層側の外壁パネルとの間にサポートを設置し、そのサポートと構築済みのスラブとの間に控えサポートを設置している関係から、外壁パネルをサポート上に吊り込んだときの、外壁パネルの安定性を確保する上で、１枚の外壁パネルにつき、梁の上端位置と下端位置等、上下２箇所で躯体に接合することが必要になっており、外壁パネルを躯体に支持させるための作業が煩雑になり易い。
【０００８】
また特許文献１のように外壁パネルが腰壁と垂壁に相当する壁板しか持たない場合、外壁パネルは縦断面上、サポートには１点でしか支持されないため、サポートのみによっては外壁パネルを吊り込んだときの安定性が十分に得られない。このため、躯体への接合が完了するまではクレーンを切り離すことができず、結局、クレーンの占有時間を大幅に減らすことにはならない。
【０００９】
更に特許文献１では躯体としての鉄骨梁に外壁パネルを支持させる場合を想定していることから、プレキャストコンクリート製の外壁パネルが剛性の差から鉄骨梁と一体的に挙動しない可能性が高いため、外壁パネルが躯体に対して自由に相対変形できるためのファスナーを外壁パネルと鉄骨梁の双方に固定しておかなければならない。また双方のファスナーは外壁パネルと鉄骨梁間の相対変形である層間変位と、熱応力による鉄骨梁の伸縮に追従できる機能を持つ必要があるため、ファスナーの製作と外壁パネルの製作に要するコストが上昇する傾向がある。
【００１０】
特許文献２の方法では外壁パネルを躯体の梁に接合する必要から、取付治具を外壁パネルの屋外側に配置せざるを得ず、斜めサポートを上層側の外壁パネルの下において取付治具に連結することになるため、上層側の外壁パネルの安定性が損なわれ易い。また取付治具が上下の外壁パネルに跨り、双方に接続される必要があるため、取付治具の外壁パネルへの着脱に時間を要し、上層側の外壁パネルを躯体に支持させた後の取付治具の転用効率が低下し易い。
【００１１】
本発明は上記背景より、従来方法の問題点を解決するために創案されたものであり、特許文献１、２の方法より外壁パネルをサポート上に吊り込んだときの、あるいは吊り込んだときからの安定性を確保でき、その結果、クレーンの占有時間を大幅に減らすことが可能で、製作コストを低減できる外壁パネルの施工方法、及びその方法に適する外壁パネルの取付構造を提案するものである。
【課題を解決するための手段】
【００１２】
本請求項１に記載の発明は、構築済みの躯体とその躯体に支持されている下層側の外壁パネルにプレキャストコンクリート製の上層側の外壁パネルを仮支持させながら、前記上層側の外壁パネルが一体化する鉄筋コンクリート造の躯体を構築する外壁パネルの施工方法において、前記鉄筋コンクリート造の躯体に支持されるための定着材が屋内側に突出した前記上層側の外壁パネルを、前記下層側の外壁パネルの上方にサポートを介して設置すると共に、このサポートと前記構築済みの躯体との間、及び前記上層側の外壁パネルと前記構築済みの躯体との間に控え材を架設し、このサポートと控え材に前記上層側の外壁パネルを仮支持させる工程と、前記上層側の外壁パネルが一体化する鉄筋コンクリート造の躯体の中に前記上層側の外壁パネルの定着材が挿入される状態で、その鉄筋コンクリート造の躯体を構築し、その躯体に前記上層側の外壁パネルを支持させる工程と、を有することを構成要件とする。
【００１３】
本請求項２に記載の発明は、構築済みの躯体とその躯体に支持されている下層側の外壁パネルにプレキャストコンクリート製の上層側の外壁パネルを仮支持させながら、前記上層側の外壁パネルが一体化する鉄筋コンクリート造の躯体を構築する外壁パネルの施工方法において、前記鉄筋コンクリート造の躯体に支持されるための定着材が屋内側に突出した前記上層側の外壁パネルを、前記下層側の外壁パネルの上方にサポートを介して設置すると共に、前記下層側の外壁パネルと前記上層側の外壁パネルとの間に、その両外壁パネルを連結する仮設部材を前記両外壁パネルの屋内側の面に沿って架設し、前記サポートと構築済みの躯体との間、及び前記仮設部材と構築済みの躯体との間に控え材を架設し、このサポートと仮設部材及び控え材に前記上層側の外壁パネルを仮支持させる工程と、前記上層側の外壁パネルが一体化する鉄筋コンクリート造の躯体の中に前記上層側の外壁パネルの定着材が挿入される状態で、その鉄筋コンクリート造の躯体を構築し、その躯体に前記上層側の外壁パネルを支持させる工程と、を有することを構成要件とする。
【００１４】
請求項１及び請求項２に記載の発明は、上層側の外壁パネルを下層側の外壁パネルと構築済みの躯体に仮支持させることで、上層側の外壁パネルをその下端部と中間部の２箇所で、２方向に躯体に仮支持させ、上層側の外壁パネルをサポート上に吊り込んだときの、あるいは吊り込んだときからの、外壁パネルの安定性を確保する。特に外壁パネルを２方向に仮支持させることで、外壁パネルを転倒や傾斜に対しても安定させる。
【００１５】
サポート上に吊り込まれた上層側の外壁パネルの安定性を確保することで、吊り込み後の外壁パネルが下層側の外壁パネルと構築済みの躯体の２箇所で仮支持された時点で、上層側の外壁パネルからクレーンを切り離せる状態にし、外壁パネルによるクレーンの占有時間を低減する。
【００１６】
また上層側の外壁パネルが支持される躯体が、プレキャストコンクリート製の外壁パネルとの剛性の差が問題にならない鉄筋コンクリート造であることで、外壁パネルが躯体に、その両者が一体的に挙動するように接合されれば、外壁パネルが躯体に対して相対変形できるように接合される必要がない。よって外壁パネルの躯体への接合を、その屋内側に突出している定着材をこれから構築すべき躯体中に挿入し、そのまま躯体を構築するのみで完了させるため、定着材に層間変位に追従できる機能を持たせる必要がない。
【００１７】
特に請求項１に記載の発明は、上層側の外壁パネルをサポートと控え材に仮支持させることで、上層側の外壁パネルの鉛直荷重をサポートに負担させ、水平荷重を控え材に負担させるため、外壁パネルに対しては、外壁パネルを安定させる上で、最も合理的な位置に控え材を連結すればよく、施工時の外壁パネルの安定性と施工精度を向上させ得る。
【００１８】
特に請求項２に記載の発明は、仮設部材を両外壁パネルの屋内側の面に沿って架設することで、控え材を上下の外壁パネルに跨る仮設部材のいずれかの部分に連結すればよく、外壁パネルに直接連結する必要がないため、これから構築すべき躯体と控え材が干渉しないような位置を選んで控え材を架設することを可能にする。上層側の外壁パネルの鉛直荷重はサポートが負担し、水平荷重は仮設部材と控え材が負担する。上下の外壁パネルに跨る仮設部材は控え材と共に下層側の外壁パネルに対する上層側の外壁パネルの構面外方向の変位を拘束する。
【００１９】
請求項３に記載の発明は、請求項１、もしくは請求項２に記載の発明において、上層側の外壁パネルが腰壁と垂壁に相当する壁部と、壁部から屋内側へ張り出す張出部を持ち、この上層側の外壁パネルを壁部と張出部においてサポートに仮支持させることを構成要件とする。
【００２０】
この場合、縦断面上、外壁パネルを壁部と張出部の２箇所でサポートに仮支持させることで、サポートからの反力を２点で取るため、張出部を持たない場合より鉛直荷重と水平荷重に対する外壁パネルの安定性を向上させる。
【００２１】
請求項４に記載の発明は、現場打ちコンクリートによって鉄筋コンクリート造の躯体と一体化するプレキャストコンクリート製の外壁パネルの取付構造において、前記外壁パネルの屋内側の面から少なくとも上下２段に定着材が突出し、この定着材がスラブの主筋と平行に、またはほぼ平行に配置され、躯体であるスラブのコンクリート中に定着されることを構成要件とする。少なくとも上下２段の定着材は躯体を構成するスラブのコンクリートが打設される時点で外壁パネルの屋内側の面から突出する。
【００２２】
請求項４に記載の発明は請求項１、もしくは請求項２に記載の発明の方法に適した、あるいはこれらの方法において実施される外壁パネルの取付構造であり、前記請求項１、もしくは請求項２における鉄筋その他の定着材が外壁パネルから突出してスラブの主筋と平行に配置され、スラブのコンクリート中に定着されることで、継手や溶接等により定着材とスラブ中の主筋との連続性を確保した状態で、外壁パネルをスラブに一体化させる。このため、現場では外壁パネルを躯体に支持させるために、ファスナー等を用いてプレキャストコンクリート製の外壁パネルを鉄骨造の躯体に接合する場合のように、外壁パネルをスラブに対して相対変位可能な状態に接合する格別な作業を要しない。
【００２３】
請求項５に記載の発明は、請求項４に記載の発明において、定着材の内、少なくとも最下段の定着材が内蔵されたプレキャストコンクリート製の床板が前記外壁パネルの屋内側に一体化していることを構成要件とする。床板は請求項３に記載の発明において、壁部の屋内側の面からスラブに連続する位置に張り出した場合の張出部に相当し、外壁パネルは壁板にスラブの外壁寄りの一部分が一体化した形になる。
【００２４】
この場合、定着材の内、少なくとも最下段の定着材が内蔵されたプレキャストコンクリート製の床板が外壁パネルの屋内側に一体化し、外壁パネルがスラブの一部を一体として有することで、スラブを有しない場合より外壁パネル自身を安定させてサポート等に仮支持させることを可能にする。
【００２５】
外壁パネルが床板を有しない場合には外壁パネルを所定位置に設置し、サポート等に仮支持させたときの支点が壁板においてしか取れないのに対し、スラブの一部である床板が一体となっている場合には支点を壁板と床板の部分において取ることができるため、縦断面上の支点数が多くなり、仮支持状態での安定性が高まる。
【００２６】
また床板中に少なくとも最下段の定着材が内蔵されていることで、外壁パネルをサポート等に仮支持させた時点で、最下段の定着材とスラブの下端主筋との連結を行うことを可能にする。結果として外壁パネルをスラブの主筋にも支持させることが可能となり、上段側の定着材とスラブの上端主筋との連結、及びスラブのコンクリート打設によって外壁パネルをスラブに一体化させるときの、床板とスラブとの連続性を確保する。上段側の定着材は最下段の定着材とスラブの下端主筋との連結後でもこれらと干渉することなく配置可能であるため、現場で配置されることもある。
【００２７】
請求項６に記載の発明は、請求項５に記載の発明において、床板の先端が鉄筋コンクリート造の躯体を構成する梁上に位置することを構成要件とする。
【００２８】
この場合、床板の先端を躯体の梁上に位置させることで、縦断面上、外壁パネルの床板を直接、梁に支持させることになるため、外壁パネルの躯体に対する設置精度を向上させ、最下段の定着材とスラブの下端主筋との連結作業を確実にし、設置後の仮支持状態及び仮支持が解除された後の安定性も向上させる。
【発明の効果】
【００２９】
請求項１、２に記載の発明によれば、上層側の外壁パネルをその下端部と中間部の２箇所で、２方向に躯体に仮支持させて設置直後の外壁パネルの安定性を確保するため、躯体に対しては１枚の外壁パネルにつき、上下２箇所で接合する必要がない。よって外壁パネルを中間部の１箇所で躯体に接合すれば足りるため、外壁パネルを躯体に支持させるための作業を簡略化することができる。
【００３０】
上層側の外壁パネルの安定性が確保されることで、上層側の外壁パネルの吊り込み後、下層側の外壁パネルと構築済みの躯体の２箇所に仮支持させた時点で、クレーンを外壁パネルから切り離すことができるため、１枚の外壁パネルが同一のクレーンを占有する時間を低減でき、クレーンの稼動率の上昇により工期の短縮を図ることができる。
【００３１】
また躯体が鉄筋コンクリート造であることで、プレキャストコンクリート製の外壁パネルを躯体に、両者が一体的に挙動するように接合すればよいため、躯体の層間変位を考慮する必要がなく、外壁パネルの躯体への接合を、その屋内側に突出した定着材をこれから構築すべき躯体中に挿入し、そのまま躯体を構築するのみで完了させることができる。
【００３２】
定着材を構築すべき躯体中に埋設するのみで外壁パネルを躯体に支持させることができることで、定着材に層間変位に追従できる機能を持たせる必要がなく、定着材の構成と、それを埋設して製作される外壁パネルの構成が単純化されるため、定着材の製作コストと外壁パネルの製作コストを低減することができる。
【００３３】
また請求項１に記載の発明によれば、控え材を外壁パネルの任意の位置に連結することができるため、外壁パネルを安定させる上で、最も合理的な位置を選択することができ、外壁パネルの振動や揺れを抑えるように控え材を連結し、架設することができる。結果として外壁パネルを最も安定させた状態で躯体に接合することができるため、外壁パネルの躯体への接合上の施工精度を向上させることができる。
【００３４】
請求項２に記載の発明によれば、これから構築すべき躯体と控え材が干渉しない位置を選んで控え材を架設することができるため、スラブ等の躯体に駄目穴を形成することがなく、控え材の撤去後に駄目穴を塞ぐ工事を必要としない。
【００３５】
請求項３に記載の発明によれば、縦断面上、サポートからの反力を２点で取るため、張出部を持たない場合より鉛直荷重と水平荷重に対する外壁パネルの安定性が向上すると共に、控え材の負担を軽減し、控え材を簡素化することができる。安定性の向上によりクレーンを早期に外壁パネルから切り離すことができるため、クレーンの稼働率が一層向上し、工期の大幅な短縮が図られる。
【００３６】
請求項４に記載の発明によれば、定着材とスラブ中の主筋との連続性を確保した状態で、外壁パネルをスラブに一体化させることができるため、ファスナー等を用いて鉄骨造の躯体に接合する場合のように、外壁パネルをスラブに対して相対変位可能な状態に接合する作業を必要とせず、外壁パネルを躯体に接合するための作業が簡略化される。
【００３７】
請求項５に記載の発明によれば、スラブの一部に相当する床板が外壁パネルの屋内側に一体化しているため、外壁パネル自身を安定させてサポート等に仮支持させることができる。また床板に最下段の定着材が内蔵されていることで、外壁パネルを仮支持させた時点で、最下段の定着材をスラブの下端主筋に連結し、外壁パネルをスラブの主筋に支持させることができるため、外壁パネルの鉄筋とスラブの鉄筋との連続性が確保され、床板とスラブとの連続性を確保することができる。
【００３８】
請求項６に記載の発明によれば、床板の先端を躯体の梁上に位置させ、外壁パネルの床板を直接、梁に支持させるため、外壁パネルの設置精度が向上し、最下段の定着材とスラブの下端主筋との連結作業を確実に行うことができ、設置後の仮支持状態及び仮支持が解除された後の安定性を向上させることができる。
【発明を実施するための最良の形態】
【００３９】
以下、本発明を実施するための最良の形態について図面を参照して説明する。図１は本発明の第１実施形態に係る外壁パネルの施工方法の要領を示した縦断面図、図４は第２実施形態に係る外壁パネルの施工方法の要領を示した縦断面図である。
【００４０】
本実施形態は構築済みの躯体とその躯体に支持されている下層側の外壁パネル１にプレキャストコンクリート製の上層側の外壁パネル２を支持させながら、この上層側の外壁パネル２が一体化する鉄筋コンクリート造の躯体を下層側から上層側へ向けて構築する外壁パネルの施工方法である。図面を含め、以下の説明では下層側の外壁パネル１もプレキャストコンクリートで製作した場合を示しているが、下層側の外壁パネル１は現場打ちコンクリートで構築されている場合もある。
【００４１】
本実施形態で言う鉄筋コンクリート造は鉄骨鉄筋コンクリート造や鋼管コンクリート造を含み、躯体、すなわち柱６、梁７、スラブ８、壁のそれぞれにつき、全断面を現場打ちコンクリートで構築する場合と躯体の一部断面をプレキャスト化しておき、残りの断面を現場打ちコンクリートで構築する場合がある。
【００４２】
第１実施形態は図１に示すように先行して躯体に支持されている下層側の外壁パネル１の上方にサポート４を設置すると共に、このサポート４と構築済みの躯体との間、及び設置されたばかりの上層側の外壁パネル２と構築済みの躯体との間に控え材５を傾斜させて架設し、このサポート４と控え材５に、前記上層側の外壁パネル２を仮支持させる方法である。
【００４３】
図面では施工時の安定性を図り、躯体への接合をし易くする上で、外壁パネル１、２を、連続する腰壁と垂壁に相当する壁部１ａ、２ａと、躯体への支持のために壁部１ａ、２ａから屋内側へ張り出し、躯体に接合される張出部１ｂ、２ｂを持ってプレキャストコンクリートで製作している。
【００４４】
外壁パネル１、２が張出部１ｂ、２ｂを持つ場合、張出部１ｂ、２ｂからは躯体に支持されるための鉄筋、アンカー、定着プレートその他の、躯体に支持されるのに十分な数、または大きさの定着材３が突出し、外壁パネル１、２の設置時には壁部１ａ、２ａと張出部１ｂ、２ｂにおいて直下のサポート４に仮支持される。
【００４５】
図面では定着材３として、一端側において外壁パネル１、２中に埋設されて定着され、多端側においてスラブ８等の躯体中に埋設されて定着される鉄筋を用いた場合を示している。定着材３は主としてスラブ８中の主筋と連結されることにより、または梁７やスラブ８のコンクリート中に定着されることにより外壁パネル１、２中の鉄筋とスラブ８等の躯体中の主筋を連続させる役目を持つ。図示するように張出部１ｂ、２ｂがスラブ８に連続する位置に張り出す場合、定着材３は後述のように外壁パネル２がサポート４上に設置されたときに、梁７やスラブ８の上端筋部分とスラブ８の下端筋部分に位置するよう、上下複数段に配置され、梁７やスラブ８のコンクリートの打設によってコンクリート中に埋設される。
【００４６】
外壁パネル１、２が張出部１ｂ、２ｂを有するＴ形の断面形状をした場合、サポート４は構面外方向に並列し、壁部１ａ、２ａを支持する支柱４ａと張出部１ｂ、２ｂを支持する支柱４ｂを持ち、並列する両支柱４ａ、４ｂはアーム４ｃで互いに連結される。張出部１ｂ、２ｂがない場合や、あっても壁部１ａ、２ａからの突出長さが小さい場合には、サポート４は支柱４ａのみで構成される。並列する支柱４ａ、４ｂを持つ場合、サポート４は単独で使用状態での安定性を有する。
【００４７】
控え材５には、吊り込まれた外壁パネル１、２の建て入れ調整をし、調整後の屋外側への転倒と屋内側への転倒を防止する機能を持たせるために、例えば一端にねじの切られた鋼管５１や棒鋼の両ねじ部を突き合わせ、その両ねじ部をターンバックル５２で連結した部材が使用される。控え材５は外壁パネル１、２の屋内側の面とスラブ８、または壁、柱６、梁７との間に架設される。
【００４８】
控え材５は外壁パネル１、２の断面形状や、後述する張出部１ｂ、２ｂの位置によっては図１、図２に示すようにそのレベルのスラブ８を貫通する場合があるが、控え材５を構成する鋼管５１や棒鋼には大きな断面を要しないことから、貫通しても隣接するスラブ筋間の合間を縫って控え材５を設置し、スラブ筋との干渉を回避することはできるため、コンクリートの打設から、控え材５の回収までの間、控え材５が一時的にスラブ８に埋設されることによる影響は小さい。
【００４９】
図１、図２では現場作業の省力化のために梁７の全断面の内、上端筋７ａの配筋部分を除いた部分を予めプレキャストコンクリートで製作し、そのコンクリート中に下端筋とせん断補強筋７ｂを埋設した梁部材７１を用いた場合を示しているが、下端筋の配筋部分とせん断補強筋７ｂの下端寄りの配筋部分のみをプレキャストコンクリートでＵ字形断面に製作する場合の他、型枠を組み立てて梁７の全断面を現場打ちコンクリートで構築する場合もある。
【００５０】
図示するようにプレキャストコンクリートの梁部材７１を用いる場合、梁部材７１はその長さ方向両端に設置されているサポート間、または柱型枠１１、１１間に架設された後、上端筋７ａが配筋され、スラブ８と一体にコンクリートが打設され、コンクリートが梁部材７１内に充填されることによりスラブ８と一体となる。
【００５１】
図１、図２ではまた、設置されたばかりの上層側の外壁パネル２のレベルに位置する躯体の梁７にプレキャストコンクリート製の梁部材７１を用いたことの利点を生かし、梁部材７１の、外壁パネル１、２が設置される側を破線で示すようにふかし、そのふかし部分の上に外壁パネル１、２の張出部１ｂ、２ｂの先端部を載置している。この場合、縦断面上、外壁パネル１、２の張出部１ｂ、２ｂがサポート４の支柱４ｂと梁７の２箇所で支持される形になるため、サポート４のみに支持される場合より外壁パネル１、２の設置精度が向上し、設置状態での安定性も高まる利点がある。
【００５２】
ここで、第１実施形態の施工手順を図２−（ａ）〜（ｆ）により説明する。図２−（ａ）は下層側の外壁パネル１がサポート４と控え材５に仮支持された状態で、構築済みの躯体、ここでは梁７に支持されているときの様子を示す。躯体がフラットスラブ構造の場合には外壁パネル１、２はスラブ８に支持される。
【００５３】
下層側の外壁パネル１の張出部１ｂが接続する梁７、またはスラブ８のコンクリートは外壁パネル１に連結されている控え材５が下階のスラブ８等の躯体との間に架設された状態で打設される。図２−（ａ）に示すように梁７、またはスラブ８のコンクリートが打設された時点では直下の階の柱６の主筋６ａがスラブ８の天端から突出している。
【００５４】
図１、図２に示すように張出部１ｂ、２ｂに関し、壁部１ａ、２ａの腰壁部分の高さと垂壁部分の高さがほとんど等しい外壁パネル１、２を使用し、壁部１ａ、２ａの腰壁部分に控え材５を連結した場合、控え材５は一時的にスラブ８を貫通する形になるが、前記のようにスラブ筋との干渉がないように控え材５を架設することは可能であるため、一時的に貫通することによる問題は生じない。控え材５の撤去後、控え材５が貫通していた穴はコンクリートやモルタルによって塞がれる。
【００５５】
下層側の梁７、またはスラブ８のコンクリートの打設後、図２−（ｂ）に示すように下層側の外壁パネル１の上にサポート４を設置し、サポート４の上に上層側の外壁パネル２を設置すると共に、サポート４と設置したばかりの上層側の外壁パネル２に新たに控え材５の一端を連結し、外壁パネル２の安定性を確保する。控え材５の他端は下階のスラブ８等に連結されている。控え材５の両端は外壁パネル２の壁部２ａの屋内側の面とスラブ８の天端面等に一時的に突設されたブラケット１０等に連結される（図４参照）。図２−（ｂ）〜（ｅ）中、４ｄは施工中の部品の落下を防止する養生ネットを示す。
【００５６】
図２−（ｂ）に示すように設置されたばかりの上層側の外壁パネル２の鉛直荷重はサポート４で負担され、サポート４から下層側の外壁パネル１を介して構築済みの躯体に伝達される。水平荷重は外壁パネル２に連結される控え材５で負担され、控え材５を介して構築済みの躯体に伝達される。
【００５７】
図２ではサポート４と外壁パネル２を転倒に対して安全に支持できるよう、支柱４ａの上端部と外壁パネル２の上端部にそれぞれ控え材５を連結している。このように躯体への接合が完了するまでの外壁パネル２の安定性を高める上では、外壁パネル２に連結される控え材５を外壁パネル２の上端寄りに連結することが有利であるが、外壁パネル２が張出部２ｂを有する場合には、外壁パネル２の屋内側への転倒防止は張出部２ｂの下に位置する支柱４ｂによっても図られているため、控え材５は外壁パネル２の屋外側への転倒を防止できる状態にあればよく、必ずしも外壁パネル２の上端部に連結される必要はない。
【００５８】
サポート４及び外壁パネル２の設置、並びに控え材５の架設と並行し、下層側のスラブ８上では図２−（ｃ）に示すように上階側の柱６を構築するための柱型枠１１の組み立て、または予め主筋６ａ等が埋設されてプレキャストコンクリートで製作された柱部材の設置が行われる。図２−（ｂ）では柱型枠１１の組み立てや柱部材の設置前にサポート４及び外壁パネル２の設置、控え材５の架設をしているが、図２−（ｆ）に示すように柱型枠１１の組み立てや柱部材の設置後にサポート４及び外壁パネル２の設置、控え材５の架設を行うこともある。図２−（ｂ）、（ｃ）に示す柱型枠１１は木製の他、薄肉のプレキャストコンクリートや鋼板等で製作され、捨て型枠となる場合もある。
【００５９】
スラブ８上での柱型枠１１の組み立てや柱部材の設置後、図２−（ｄ）に示すように隣接する柱型枠１１、１１間や柱部材間に前記プレキャストコンクリート製の梁部材７１を架設する、もしくは梁型枠を組み立てる。柱型枠１１、１１間や柱部材間には必要に応じてサポート９が設置され、梁部材７１や梁型枠は長さ方向の中間部においても仮支持される。このとき、外壁パネル２の定着材３は梁７の上端筋７ａ部分やスラブ８の上端筋部分とスラブ８の下端筋部分に位置する。梁部材７１の架設や梁型枠の組み立て時に上層側の外壁パネル２に連結されている控え材５が障害になる場合には、その控え材５の架設に先立って柱型枠１１の組み立てや柱部材の設置、並びに梁部材７１の架設や梁型枠の組み立てが行われる。
【００６０】
梁部材７１の架設後、梁部材７１への上端筋７ａの配筋と、床型枠１２の敷設及びスラブ筋の配筋をし、図２−（ｅ）に示すように梁部材７１の上端部分とスラブ８のコンクリートを打設する。梁型枠を組み立てた場合はその組み立て後、下端筋と上端筋７ａ及びせん断補強筋７ｂの配筋、並びに床型枠１２の敷設とスラブ筋の配筋をし、梁７全体とスラブ８のコンクリートが打設される。
【００６１】
コンクリートの打設後、コンクリートが外壁パネル２を支持するのに必要な強度、例えば１８Ｎ／ｍｍ2程度以上の強度を発現した後、サポート４と控え材５は回収され、順次上層階へ盛り替えられる。控え材５の回収後にはスラブ８中の控え材５が存在していた箇所に開口が形成されるが、その開口はコンクリートやモルタルを充填することにより埋められる。
【００６２】
以後、図２−（ａ）〜（ｅ）の作業を繰り返すことにより鉄筋コンクリート造の躯体が下層側から上層側へ向けて構築される。
【００６３】
図３は梁部材７１の長さ方向に隣接する２枚の外壁パネル２、２をつなぎプレート１４によって連結した状態で施工する場合の外壁パネル２と梁部材７１との関係を示す。この場合、２枚の外壁パネル２、２は施工中に高さ方向と構面外方向及び構面内方向に互いにずれない程度に連結されればよく、つなぎプレート１４は壁部２ａ、２ａ間、もしくは張出部２ｂ、２ｂ間に跨って双方に接合される。施工後の隣接する外壁パネル２、２の端面間には地震時等に相対変位が生じ得ることから、つなぎプレート１４は回収され、両外壁パネル２、２間の目地にシーリング材やモルタル等の充填材が充填される。
【００６４】
続いて第２実施形態の方法を説明する。この方法は図４に示すように躯体に支持されている下層側の外壁パネル１の上方にサポート４を設置すると共に、その下層側の外壁パネル１と設置されたばかりの上層側の外壁パネル２との間に、両外壁パネル１、２を連結する仮設部材１３を架設し、前記サポート４と構築済みの躯体との間、及び仮設部材１３と構築済みの躯体との間に控え材５を架設し、このサポート４と仮設部材１３及び控え材５に上層側の外壁パネル２を仮支持させる施工方法である。
【００６５】
図４においても外壁パネル１、２を、連続する腰壁と垂壁に相当する壁部１ａ、２ａと、躯体への支持のために壁部１ａ、２ａから屋内側へ張り出す張出部１ｂ、２ｂを持って製作し、壁部１ａ、２ａと張出部１ｂ、２ｂにおいて直下のサポート４に仮支持させている。張出部１ｂ、２ｂからは躯体に支持されるための定着材３が突出する。
【００６６】
図４ではまた、梁７の全断面の内、上端筋７ａの配筋部分を除いた部分を予めプレキャストコンクリートで製作しているが、下端筋の配筋部分とせん断補強筋７ｂの下端寄りの配筋部分のみをプレキャストコンクリートで製作する場合の他、梁７の全断面を現場打ちコンクリートで構築する場合もある。また梁７にプレキャストコンクリート製の梁部材７１を用いたことの利点を活かし、梁部材７１にふかし部分を形成し、そのふかし部分の上に外壁パネル１、２の張出部１ｂ、２ｂが載るようにしている。
【００６７】
下層側の外壁パネル１の張出部１ｂが接続する梁７、またはスラブ８のコンクリートは外壁パネル１直下のサポート４に連結されている控え材５が下階のスラブ８等の躯体との間に架設された状態で打設される。
【００６８】
図５−（ａ）〜（ｅ）により第２実施形態の施工手順を説明する。図５−（ａ）は下層側の外壁パネル１がサポート４に支持された状態で、構築済みの躯体である梁７に支持されているときの様子を示す。躯体がフラットスラブ構造の場合には外壁パネル１はスラブ８に支持される。第２実施形態では上下に隣接する外壁パネル１、２間に、両外壁パネル１、２を連結する仮設部材１３を架設し、この仮設部材１３のいずれかの部分に控え材５を連結するため、控え材５がスラブ８を貫通する必要はない。
【００６９】
梁７、またはスラブ８のコンクリートの打設後、図５−（ｂ）に示すように外壁パネル１の上にサポート４を設置し、サポート４の上に上層側の外壁パネル２を設置し、下層側の外壁パネル１と設置したばかりの上層側の外壁パネル２間に、Ｈ形鋼や溝形鋼、角形鋼管等の鋼材等からなる仮設部材１３を架設して双方に仮接合する。仮設部材１３は外壁パネル１、２の屋内側の面である壁部１ａ、２ａに沿って配置され、例えば図４に示すように外壁パネル１、２の壁部１ａ、２ａに、屋内側の面を向いて埋設されたナット１５に仮設部材１３を貫通するボルト１６を螺入させることにより外壁パネル１、２に着脱自在に接合される。
【００７０】
仮設部材１３の架設と並行してサポート４と仮設部材１３のそれぞれに新たに控え材５を連結し、上層側の外壁パネル２の安定性を確保する。仮設部材１３は上層側への盛り替えの便宜を図る上では鉛直に架設される。設置されたばかりの上層側の外壁パネル２の鉛直荷重はサポート４で負担され、サポート４から下層側の外壁パネル１を介して構築済みの躯体に伝達される。水平荷重はサポート４と仮設部材１３、及びそれぞれに連結される控え材５を介して構築済みの躯体に伝達される。
【００７１】
図５では外壁パネル１、２に張出部１ｂ、２ｂを形成したことに伴い、張出部１ｂ、２ｂに仮設部材１３が貫通する貫通孔１ｃ、２ｃを形成し、外壁パネル１、２の転倒や傾斜を確実に防止するために、上層側の外壁パネル２の張出部２ｂを貫通させて仮設部材１３を外壁パネル２の腰壁部分に接合しているが、腰壁の高さが垂壁の高さより小さい場合等には必ずしも張出部２ｂを貫通させる必要はない。仮設部材１３は外壁パネル１、２の長さ方向（構面内方向）の大きさに応じ、外壁パネル１、２の長さ方向の中央部に１箇所、もしくは図６に示すように長さ方向両側の２箇所に配置される。
【００７２】
図４〜図６に示すように仮設部材１３が外壁パネル１、２の張出部１ｂ、２ｂを貫通する場合には、仮設部材１３を上層側へ盛り替えるときに張出部１ｂ、２ｂの貫通孔１ｃ、２ｃに沿って仮設部材１３を単純に上方へスライドさせるのみで盛り替えを完了させられる利点がある。この場合、貫通孔１ｃ、２ｃはコンクリートやモルタルを充填することにより埋められる。外壁パネル１、２に貫通孔１ｃ、２ｃを形成する場合でも、建物の最下層に設置される外壁パネルには貫通孔を形成する必要はない。
【００７３】
仮設部材１３を用いた場合、外壁パネル２が屋内側、または屋外側に転倒しようとするときの水平力は仮設部材１３が負担し、下層側の外壁パネル１と控え材５に分担されることから、控え材５はサポート４と仮設部材１３のいずれかの部分に連結されればよいため、これから構築される躯体との干渉を回避しながら、控え材５を架設することができる。
【００７４】
サポート４及び外壁パネル２の設置、並びに仮設部材１３と控え材５の架設と並行し、下層側のスラブ８上では図５−（ｃ）に示すように上階側の柱６を構築するための柱型枠１１の組み立て、または予めプレキャストコンクリートで製作された柱部材の設置が行われる。図５−（ｂ）では柱型枠１１の組み立てや柱部材の設置前にサポート４及び外壁パネル２の設置、控え材５の架設をしているが、図２の場合と同様に柱型枠１１の組み立てや柱部材の設置後にサポート４及び外壁パネル２の設置、控え材５の架設を行うこともある。図５−（ｂ）、（ｃ）に示す柱型枠１１は木製の他、薄肉のプレキャストコンクリートや鋼板等で製作され、捨て型枠となる場合もある。
【００７５】
柱型枠１１の組み立てや柱部材の設置後、図５−（ｄ）に示すように柱型枠１１、１１間や柱部材間に前記プレキャストコンクリート製の梁部材７１を架設する、もしくは梁型枠を組み立てる。柱型枠１１、１１間や柱部材間には必要に応じてサポート９が設置され、梁部材７１や梁型枠は長さ方向の中間部においても支持される。このとき、外壁パネル２の定着材３は梁７やスラブ８の上端筋部分とスラブ８の下端筋部分に位置する。
【００７６】
梁部材７１の架設後、梁部材７１への上端筋７ａの配筋とスラブ筋の配筋をし、図５−（ｅ）に示すように梁部材７１の上端部分とスラブ８のコンクリートを打設する。梁型枠を組み立てた場合はその組み立て後、下端筋と上端筋７ａ及びせん断補強筋７ｂの配筋、並びにスラブ筋の配筋をし、梁部材７１の上端部分とスラブ８のコンクリートが打設される。
【００７７】
コンクリートの打設後、コンクリートが外壁パネル２を支持するのに必要な強度を発現した後、サポート４と控え材５は回収され、順次上層側へ盛り替えられる。
【００７８】
以後、図５−（ａ）〜（ｅ）の作業を繰り返すことにより鉄筋コンクリート造の躯体が下層側から上層側へ向けて構築される。
【００７９】
図６は図３と同様に梁部材７１の長さ方向に隣接する２枚の外壁パネル２、２をつなぎプレート１４によって連結した状態で施工する場合の外壁パネル２と梁部材７１との関係を示す。この場合も２枚の外壁パネル２、２は施工中に高さ方向と構面外方向及び構面内方向に互いにずれない程度に連結されればよく、つなぎプレート１４は壁部２ａ、２ａ間、もしくは張出部２ｂ、２ｂ間に跨って双方に接合される。施工後、つなぎプレート１４は回収され、両外壁パネル２、２間の目地にシーリング材等の充填材が充填される。
【００８０】
以上、本発明の実施形態について説明したが、本発明はこの実施形態に限定されることはなく、趣旨を逸脱しない範囲で変更して実施可能である。
【図面の簡単な説明】
【００８１】
【図１】本発明の第１実施形態に係る外壁パネルの施工要領を示した縦断面図である。
【図２】（ａ）〜（ｆ）は図１に示す施工方法の施工手順を示した縦断面図である。
【図３】図１に示す外壁パネルを梁部材の長さ方向に２枚連結して施工したときの様子を示した斜視図である。
【図４】本発明の第２実施形態に係る外壁パネルの施工要領を示した縦断面図である。
【図５】（ａ）〜（ｅ）は図３に示す施工方法の施工手順を示した縦断面図である。
【図６】図４に示す外壁パネルを梁部材の長さ方向に２枚連結して施工したときの様子を示した斜視図である。
【符号の説明】
【００８２】
１      下層側の外壁パネル
２      上層側の外壁パネル
２ａ    壁部
２ｂ    張出部
２ｃ    貫通孔
３      定着材
４      サポート
５      控え材
７      梁
７１    梁部材
１３    仮設部材
【図１】
2006112131.tif 000003
【図２】
2006112131.tif 000004
【図３】
2006112131.tif 000005
【図４】
2006112131.tif 000006
【図５】
2006112131.tif 000007
【図６】
2006112131.tif 000008